(57)【要約】【課題】食品に関する情報を容易に入手でき、品質および安全性の高い食品を容易に調達できる情報提供システムを提供する。【解決手段】商品を生産する生産者１３の生産者端末１００と、商品を購入するユーザ３０の携帯端末４００と、生産者１３と契約し、生産者１３が生産する商品の情報を管理し、商品をユーザ３０に販売する仲介管理機関２０の管理装置２００と、を備える情報提供システム１において、管理装置２００は、生産者端末１００および携帯端末４００とネットワーク３を介して接続され、生産者端末１００から生産者１３が提供する商品の生産元情報を含む商品情報をネットワーク３を介して受信し、該商品情報を記憶するデータベース３００と、データベース３００に記憶された商品情報を携帯端末４００にネットワーク３を介して提供し、携帯端末４００から商品の購入の注文をネットワーク３を介して受け付ける。【選択図】図１
2009181223.tif 000002
【特許請求の範囲】
【請求項１】
商品を生産する生産者の生産者端末と、前記商品を購入するユーザのユーザ端末と、前記生産者と契約し、前記生産者が生産する前記商品の情報を管理し、前記商品を前記ユーザに販売する管理機関の管理装置と、を備える情報提供システムにおいて、
前記管理装置は、前記生産者端末および前記ユーザ端末とネットワークを介して接続され、
前記生産者端末から前記生産者が提供する前記商品の生産元情報を含む商品情報を前記ネットワークを介して受信し、該商品情報を記憶するデータベースと、
前記データベースに記憶された前記商品情報を前記ユーザ端末に前記ネットワークを介して提供する手段と、
前記ユーザ端末から前記商品の購入の注文を前記ネットワークを介して受け付ける手段と、を含む情報提供システム。
【請求項２】
請求項１に記載の情報提供システムにおいて、
前記データベースの前記商品情報の中から、前記生産者または前記ユーザが更新通知を受けたい所望の情報の登録を受け付け、前記生産者または前記ユーザに関連付けて登録する登録手段と、
前記データベースに記憶された前記商品情報が更新されたことを検知する検知手段と、
前記検知手段が前記更新を検知したとき、更新された前記商品情報のうち、前記登録手段によって登録された前記所望の情報を登録した前記生産者の前記生産者端末または前記ユーザの前記ユーザ端末に、前記商品情報のうち前記所望の情報が更新されたことを通知する通知手段と、を備える情報提供システム。
【請求項３】
請求項１または２に記載の情報提供システムにおいて、
前記商品の販売促進情報を前記データベースに登録する手段と、
前記ユーザ端末に、前記商品の前記販売促進情報を前記ネットワークを介して提供する手段と、を備える情報提供システム。
【請求項４】
請求項１乃至３いずれかに記載の情報提供システムにおいて、
前記管理装置は、
前記ユーザ端末から前記商品の所定の周期での定期購入の申込を受け付ける手段と、
前記申込に従って、前記商品の発注の通知を前記ネットワークを介して該当する生産者の前記生産者端末に前記所定の周期で定期的に行う手段と、を備える情報提供システム。
【請求項５】
請求項１乃至４いずれかに記載の情報提供システムにおいて、
家庭菜園における育成ノウハウ情報を提供するアドバイザのアドバイザ端末をさらに備え、
前記管理装置は、前記アドバイザ端末および前記ユーザ端末の間でネットワークを介して、前記育成ノウハウ情報に関する家庭菜園情報を交換させるコミュニケーション手段と、をさらに含む情報提供システム。
【請求項６】
請求項５に記載の情報提供システムにおいて、
前記家庭菜園情報を前記データベースに登録する手段と、
前記データベースに登録された前記家庭菜園情報を前記ユーザ端末に提供する手段と、をさらに含む情報提供システム。
【請求項７】
請求項１乃至６いずれかに記載の情報提供システムにおいて、
前記生産者の保有する農地の各区画のオーナーとしてユーザの登録を受け付ける手段と、
前記生産者端末から前記ネットワークを介して受信した前記商品の農作物の育成記録を前記農地の前記区画に関連付けて前記データベースに登録する手段と、
前記データベースに登録された前記区画の前記農作物の前記育成記録を、該区画の前記オーナーとして登録された前記ユーザの前記ユーザ端末に提供する手段と、をさらに含む情報提供システム。
【請求項８】
請求項７に記載の情報提供システムにおいて、
前記区画の前記農作物の育成状況を撮影する撮像手段と、
前記撮像手段を前記ユーザ端末から遠隔操作させる手段と、
前記撮像手段で撮影された前記農作物の前記育成状況を前記ユーザ端末に提供する手段と、を備える情報提供システム。
【発明の詳細な説明】
【技術分野】
【０００１】
本発明は、情報提供システムに関し、特に、商品の情報を提供する情報提供システムに関する。
【背景技術】
【０００２】
近年、健康や食への意識が高まっており、家庭菜園を行う一般家庭や、生産元情報を開示し、より品質安全性を考慮した食品陳列または販売する食品スーパー等が徐々に増えている。特許文献１に記載された商品販売システムは、契約農家で栽培される商品の商品情報をユーザに提供し、商品の栽培方法をユーザが指定して注文することができ、さらに注文された商品の栽培状況をユーザに提供するものである。
【０００３】
また、従来、インターネット上の総合販売サイトなどで、食品を含む様々な商品を購入することができる。このような総合販売サイトでは、各商品を取り扱う個別サイトの集合体または仲介形式をとっていて、掲載される商品の情報はサイト毎に独自のものであった。
【特許文献１】特開２００１−３０６８４５号公報
【特許文献２】特開２００１−３４４３８１号公報
【特許文献３】特開２００２−０７３７２８号公報
【特許文献４】特開２００２−２７９０１７号公報
【特許文献５】特開２００６−１７８９１６号公報
【発明の開示】
【発明が解決しようとする課題】
【０００４】
しかしながら、上記文献記載の従来技術は、以下の点で改善の余地を有していた。
第一に、特に都市部の一般家庭においては、居住環境の問題上、家庭菜園の領域確保や、十分な菜園育成は決して容易なものとは言えない。家庭菜園での収穫物の多くは、その家庭において消費されるのが大半であり、他家庭との繋がりや流通手段が皆無の為、育成不振等の諸問題を容易に改善することも難しい。また、従来の家庭菜園は個々の家庭で独立して行われ、それに関する諸問題等は同家庭（当事者）によるインターネットや専門書等を駆使し、参考として対処されるのが現状であり、多大な労力を要した。
【０００５】
さらに、自宅外に菜園を保有する場合、その維持管理は自宅から離れていれば離れているほど容易なものではなかった。特に健康や食への意識の高いユーザにとって、より品質安全性の高い食料を調達するには、それを考慮した食品陳列または販売する食品スーパー等へ出向く必要があり、容易には調達することができない。また、家庭菜園を行う人達にとっては、同様の他者との繋がりが皆無であり、居住環境や生活サイクル等から、育成不振等の諸問題が付きまとい、的確容易に諸問題を解決する術を持たず、インターネットや専門書等を駆使して解決策を見出すしかないのが現状であった。
【０００６】
第二に、特に健康や食への意識の高い消費者達にとって、生産出荷元がクリアで品質安全性の高い食料の調達は、それを考慮した食品陳列または販売する食品スーパー等に限られており、多くの食品スーパー等では現状まだ上述施策が浸透していない為、わざわざ出向く等の必要性が生じ、容易には調達することができない。従来の携帯電話機およびシステム・サービスにおいて、オークション・サイト等では食品類の購入調達が可能であるが、食料生産出荷元までクリアな食品流通システム・サービスは皆無であった。
【０００７】
第三に、上述の総合販売サイトに掲載される情報は各個別サイトで統一性がなく、その商品（食品）の生産出荷元まで開示されているものが皆無である。また、親サイトから子サイトへのリンクが必要であり、商品の充実を図ろうとすると、膨大なリンクを張る必要があり、その管理も煩雑であった。
【０００８】
本発明は上記事情に鑑みてなされたものであり、その目的とするところは、食品に関する情報を容易に入手でき、品質および安全性の高い食品を容易に調達できる情報提供システムを提供することにある。
【課題を解決するための手段】
【０００９】
本発明の情報提供システムは、商品を生産する生産者の生産者端末と、前記商品を購入するユーザのユーザ端末と、前記生産者と契約し、前記生産者が生産する前記商品の情報を管理し、前記商品を前記ユーザに販売する管理機関の管理装置と、を備える情報提供システムにおいて、
前記管理装置は、前記生産者端末および前記ユーザ端末とネットワークを介して接続され、
前記生産者端末から前記生産者が提供する前記商品の生産元情報を含む商品情報を前記ネットワークを介して受信し、該商品情報を記憶するデータベースと、
前記データベースに記憶された前記商品情報を前記ユーザ端末に前記ネットワークを介して提供する手段と、
前記ユーザ端末から前記商品の購入の注文を前記ネットワークを介して受け付ける手段と、を含む。
【００１０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１１】
また、本発明のシステムにおいて、その処理または動作の説明には複数の手順を順番に記載してあるが、その記載の順番は複数の手順を実行する順番を限定するものではない。このため、本発明のシステムにおいて、処理または動作を実施するときには、その複数の手順の順番は内容的に支障しない範囲で変更することができる。
【００１２】
さらに、本発明のシステムにおいて、その処理または動作の複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、食品に関する情報を容易に入手でき、品質および安全性の高い食品を容易に調達できる情報提供システムが提供される。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
（第一の実施の形態）
図１は、本発明の実施形態に係る情報提供システム１の構成を示すブロック図である。本実施形態の情報提供システム１は、商品を生産する生産者１３の生産者端末１００と、商品を購入するユーザ３０のユーザ端末（携帯端末４００）と、生産者１３と契約し、生産者１３が生産する商品の情報を管理し、商品をユーザに販売する管理機関（仲介管理機関２０）の管理装置２００と、を備える情報提供システム１において、管理装置２００は、生産者端末１００およびユーザ端末（携帯端末４００）とネットワーク３を介して接続され、生産者端末１００から生産者１３が提供する商品の生産元情報を含む商品情報をネットワーク３を介して受信し、該商品情報を記憶するデータベース３００と、データベース３００に記憶された商品情報をユーザ端末（携帯端末４００）にネットワーク３を介して提供するウェブサイト５００と、ユーザ端末（携帯端末４００）から商品の購入の注文をネットワーク３を介して受け付ける（図３の注文受付部２３１）と、を含む。
【００１７】
本実施形態の情報提供システム１は、複数の生産者１３（生産者Ａ、生産者Ｂ等）の生産者端末１００と、複数のユーザ３０（ユーザＡ、ユーザＢ等）の携帯端末４００と、仲介管理機関２０の管理装置２００と、データベース３００と、ウェブサイト５００と、ウェブサーバ５１０と、を備え、これらは互いにインターネットなどのネットワーク３を介して接続されている。
【００１８】
ここで、商品とは、食品であり、たとえば、野菜、果物、穀物などの農作物や酪農産物、およびそれらの加工品を含む。
【００１９】
仲介管理機関２０は、菜園育成に関する十分なノウハウや食品の取り扱い等の専門知識を保有し、データベース３００を管理運営すると共に、契約農家１０における品質安全性の高い食料生産の維持および流通、効率的な農耕地の活用を監視する。契約農家１０は、品質安全性の高い食料の生産出荷を生業とした一般農家もしくは同農家が保有する農耕地（農地１１（農地Ａ、農地Ｂ等））を意味する。仲介管理機関２０は、たとえば、食品販売の仲介管理機関、食品卸し業者、食品販売店である。
【００２０】
情報提供システム１において、生産者端末１００は、たとえば、ネットワーク３に接続されたＰＣ（Personal Computer）などである。他の実施形態において、生産者端末１００は、携帯電話機などの携帯端末であってもよい。また、生産者１３は、管理装置２００からファクシミリ受信可能な、ファクシミリ装置を含んでもよい。ファクシミリ装置は、生産者端末１００に含むこともできる。
【００２１】
管理装置２００は、ネットワーク３に接続されたサーバコンピュータであり、図示されないＣＰＵ（Central Processing Unit）、ＲＯＭ（Read Only Memory）、ＲＡＭ（Random Access Memory）、Ｉ／Ｏ部、操作部、表示部、および通信部等を含む。また、管理装置２００は、公衆回線網（不図示）またはネットワーク３を介してファクシミリ通信を行うファクシミリ通信部を含んでもよい。
【００２２】
携帯端末４００は、ネットワーク３に基地局５を介して接続可能な携帯端末であり、たとえば、携帯電話機、ＰＨＳ（Personal Handyphone System）、ＰＤＡ（Personal Digital Assistants）、ゲーム機などである。他の実施形態において、携帯端末４００は、ＰＣ（Personal Computer）などであってもよい。なお、図１において、本発明の本質に関わらない部分の構成については省略してある。たとえば、基地局５は、従来の基地局であり、本発明の本質に関わらないので、詳細な説明は省略する。
【００２３】
また、情報提供システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２４】
情報提供システム１において、ネットワーク３を介してウェブサイト５００にアクセスし、ウェブページ上の入力フォーム画面等を各端末（生産者端末１００、携帯端末４００、管理装置２００）の表示部に表示させて、入力操作を行い、入力された情報を送信し、データベース３００に登録することができる。管理装置２００は、データベース３００の情報が更新されると、データベース３００からの更新通知を受け、または管理装置２００がデータベース３００の更新を監視することで、データベース３００の更新を検知して管理する。管理装置２００は、必要に応じて、データベース３００の更新された最新情報をウェブサイト５００やメールにて生産者端末１００や携帯端末４００に提供することができる。
【００２５】
ウェブサイト５００は、本情報提供システム１のサービスを提供するためのサイト、たとえば携帯サイトであり、仲介管理機関２０が管理運営する。仲介管理機関２０には、各種コンテンツおよび各種ページを記憶する記憶部（ウェブサイト５００）と、ウェブサーバ５１０と、を含む。ユーザ３０は、新聞や雑誌等の広告、メールマガジン、情報サイトなどから本ウェブサイト５００のＵＲＬを入手し、該ウェブサイト５００にアクセスし、本サービスの会員登録をすることができる。尚、会員登録しない場合、本サービスの利用が制限、たとえば、閲覧可能な情報などが制限されるが、ビジターとして食品などの購入はできるものとする。また、本システムが提供する各種サービス毎に利用登録が可能であり、利用登録されたサービス毎に個別の課金体系をとることができる。
【００２６】
本実施形態の情報提供システム１では、食料品に特化した仲介販売を凝縮化し、従来の総合販売サイトと異なり、親サイトから小サイトへシステム・リンクを不要にした食品流通システムを提供するとともに、その生産出荷元の情報までユーザ自身が確認できる品質安全性の高い食料品を提供することができる。
【００２７】
図２は、本実施の形態の情報提供システム１の携帯端末４００の構成を示すブロック図である。携帯端末４００は、制御部４０１と、メモリ４０３と、アンテナ４０５と、無線部４０７と、表示部４０９と、操作部４１１と、カメラ４１３と、を含む。
【００２８】
制御部４０１は、携帯端末４００の各要素にバス４１５を介して接続され、各要素とともに装置全体を制御する。メモリ４０３は、ＲＯＭおよびＲＡＭを含み、プログラムや各種データを記憶する記憶領域、およびプログラム実行時の作業領域等を含む。無線部４０７は、アンテナ４０５を介して図１の基地局５に接続し、基地局５を介してネットワーク３に接続して通信を行う。表示部４０９は、たとえば、ランプ、ＬＥＤ、液晶ディスプレイ、有機ＥＬ（ElectroLuminescence）ディスプレイなどであり、各種情報表示、操作画面表示、携帯端末４００の動作や状態表示などを行う。
【００２９】
操作部４１１は、たとえば、操作キー、スイッチ、タッチパッド、ジョグダイヤルなどであり、携帯端末４００のユーザから各種設定および入力等の指示を受け付ける。カメラ４１３は、静止画像または動画像を撮像し、メモリ４０３に記録する。記録された画像データは、無線部４０７を介して送信可能である。
【００３０】
また、本実施形態において、携帯端末４００は、たとえば、アイモード（登録商標）、ＥＺｗｅｂ（登録商標）などインターネット接続サービスを利用して携帯サイトにアクセスし、所定のページを表示部４０９に表示させることができ、所定のページに表示された入力フォームなどに操作部４１１を用いて情報の入力操作を行い、無線部４０７により入力された情報をネットワーク３上のウェブサーバ５１０に送信することができる。また、携帯端末４００に、インターネットのＰＣ（Personal Computer）用のウェブサイトを表示させるためのブラウザを備えてもよい。あるいは、携帯端末４００のメモリ４０３に専用のｉアプリ（登録商標）、Ｓ！アプリ（登録商標）、ＥＺアプリ（登録商標）（ＢＲＥＷ（登録商標））などのアプリケーションをインストールし、制御部４０１に実行させて、所定の携帯サイトにアクセスさせてもよい。
【００３１】
図３は、本実施形態の管理装置２００の要部構成を示すブロック図である。本実施形態の情報提供システム１において、データベース３００の商品情報の中から、生産者１３またはユーザ３０が更新通知を受けたい所望の情報の登録を受け付け、生産者１３またはユーザ３０に関連付けて登録する登録部（後述する図４のデータベース３００のユーザＤＢ情報３８０）と、データベース３００に記憶された商品情報が更新されたことを検知する検知部（更新受付部２１１）と、検知部（更新受付部２１１）が更新を検知したとき、更新された商品情報のうち、登録部（図４のデータベース３００のユーザＤＢ情報３８０）によって登録された所望の情報を登録した生産者１３の生産者端末１００またはユーザ３０のユーザ端末（携帯端末４００）に、商品情報のうち所望の情報が更新されたことを通知する通知部２１５と、を備える。
【００３２】
具体的には、管理装置２００は、更新受付部２１１と、ＤＢ管理部２１３と、通知部２１５と、注文受付部２３１と、発注処理部２３３と、を含む。
【００３３】
更新受付部２１１は、データベース３００からの更新通知を受け付ける。あるいは、更新受付部２１１は、定期的にデータベース３００に問合せ、更新の有無を検知する。ＤＢ管理部２１３は、データベース３００の情報を管理する。また、管理者からの操作指示を受け付け、データベース３００の情報を閲覧したり、情報の更新を行うこともできる。通知部２１５は、データベース３００の更新を生産者端末１００および携帯端末４００に通知する。たとえば、登録されている生産者１３やユーザ３０の電子メールアドレス宛に通知メールを送信する。また、所定の通知ページに更新情報を公開してもよい。
【００３４】
注文受付部２３１は、更新受付部２１１が注文情報（後述）の更新を受け付けたとき、ＤＢ管理部２１３を介して注文を受け付ける。そして、発注処理部２３３は、注文受付部２３１が注文を受け付けたとき、受け付けた注文に従って、該当する生産者１３に対して発注処理を行うための情報を作成し、データベース３００の受注情報（後述）を更新する。
【００３５】
図４は、データベース３００の構造の一例を示す図である。データベース３００は、図４（ａ）〜図４（ｈ）に示すように、生産者情報３１０と、農地情報３２０と、ユーザ登録情報３３０と、食品情報３４０と、管理農地情報３５０と、注文情報３６０と、受注情報３７０と、ユーザＤＢ情報３８０と、を含む。
【００３６】
生産者情報３１０は、図４（ａ）に示すように、たとえば、ユーザ名、生産者ＩＤ、パスワード、メールアドレス（あるいは、ファクシミリ番号）、プロフィール（顔写真（画像データ）等を含む）、所在地（地域、都道府県）、所有農地区画ＩＤなどを含む。農地情報３２０は、図４（ｂ）に示すように、たとえば、農地区画ＩＤ、生産農作物ＩＤ、スケジュール（種まき、植え付け、手入れ、収穫、出荷、配送）、耕作条件（農薬使用基準）、および育成状況日記（履歴、記録）などを含む。
【００３７】
ユーザ登録情報３３０は、図４（ｃ）に示すように、たとえば、ユーザ名、ユーザＩＤ、パスワード、携帯識別番号（携帯電話番号、ＳＩＭ情報）、メールアドレス、配送先住所、登録決済方法（クレジット、銀行またはコンビニ振り込み、電子マネー、口座引落、携帯電話料金引落等）、および配送方法（直送、仲介等）などを含む。ユーザ登録情報３３０は、性別や年齢（世代）等を含んでもよい。食品情報３４０は、図４（ｄ）に示すように、たとえば、食品種別（穀類、野菜（芋類、葉物、実野菜、根菜、豆類）、果物）、および食品ＩＤ、食品品目名（一般名称、品種名（たとえば、デラウェア、豊水など））を含む。
【００３８】
管理農地情報３５０は、図４（ｅ）に示すように、たとえば、食品ＩＤ、および生産者ＩＤを含む。注文情報３６０は、図４（ｆ）に示すように、たとえば、ユーザＩＤ、日付、品目ＩＤ、数量、請求金額、決済方法、配送先、および配送方法を含む。注文情報３６０は、ユーザ３０ごとに購入履歴情報として、後述するユーザ３０ごとの個別データベース（不図示）に蓄積することもできる。
【００３９】
受注情報３７０は、図４（ｇ）に示すように、たとえば、受注ＩＤ、受注日付（および納期）、注文情報、発注状況、発送状況、決済状況（請求済み、入金済み）を含む。
【００４０】
ユーザＤＢ情報３８０は、図４（ｈ）に示すように、たとえば、ユーザＩＤ毎に、ユーザが選択して登録した食品ＩＤや生産農作物ＩＤが登録される。さらに、これらのユーザＤＢ情報３８０に基づいて、データベース３００には、ユーザ３０ごと、あるいは、生産者１３ごとに個別データベースが作成され、登録された情報が更新されると、対応するユーザ３０の携帯端末４００または生産者１３の生産者端末１００に更新を通知してもよい。あるいは、必要に応じて、ユーザ３０が利用登録している生産者１３の生産者端末１００に、該当するユーザ３０の情報が更新されたことを通知してもよい。通知を受けて、生産者端末１００または携帯端末４００から、情報を検索または取得して、表示させてもよい。
【００４１】
このように構成された本実施形態の情報提供システムの動作について、以下に説明する。図５は、本実施形態の情報提供システム１の動作の一例を示すフロー図である。以下、図１乃至図５を用いて説明する。
【００４２】
はじめに、各生産者１３（図１）は、仲介管理機関２０（図１）と契約を結び、情報提供システム１（図１）のサービスの利用を開始するために、生産者１３として登録を行う。具体的には、生産者端末１００（図１）は、ネットワーク３（図１）に接続し、ウェブサイト５００（図１）にアクセスし、生産者登録ページにて生産者の登録を行う（Ｓ１１）。このとき、データベース３００の生産者情報３１０（図４（ａ））が更新される。管理装置２００の更新受付部２１１（図３）が、生産者情報３１０の更新の通知を受け、ＤＢ管理部２１３（図３）が登録された生産者１３の管理を開始する（Ｓ２１）。
【００４３】
生産者端末１００では、さらに、生産者１３が生産した販売可能な食品の情報の入力を受け付ける（Ｓ１３）。このとき、生産者端末１００は、ウェブサイト５００にネットワーク３を介して接続し、食品情報入力ページにて食品情報および農作物の耕作条件や育成状況の入力を行う。これにより、データベース３００の農地情報３２０（図４（ｂ））、食品情報３４０（図４（ｄ））、管理農地情報３５０（図４（ｅ））が更新される（Ｓ１５）。管理装置２００の更新受付部２１１が、農地情報３２０、食品情報３４０および管理農地情報３５０の更新の通知を受け、ＤＢ管理部２１３が登録された食品の管理を開始する（Ｓ２３）。
【００４４】
このようにして、データベース３００には、各生産者端末１００から販売可能な食品の情報が集められ、管理装置２００によって管理される。これらの情報は、管理装置２００、生産者端末１００、および携帯端末４００から参照することができ、必要な情報を検索して閲覧することもできるものとする。
【００４５】
また、後述するように、データベース３００の情報が更新されたとき、管理装置２００は、生産者端末１００および携帯端末４００に更新を通知することもできる。生産者端末１００または携帯端末４００では、更新通知を希望する商品や食品、生産地（農地）、生産者（農家）などを予め「お気に入り」などとして登録しておき、その商品に関連する情報が更新されたときに通知を受け取るようにしてもよい。通知は、たとえば、電子メールであってもよいし、ウェブサイト５００上の生産者１３やユーザ３０のマイページなどの所定のページにて告知してもよい。また、ユーザ３０が希望した商品や食品の生産者１３の生産者端末１００に、ユーザ３０にお気に入り登録された旨をメールやマイページなどで通知してもよい。
【００４６】
つぎに、本情報提供システム１を利用して商品を購入するユーザ３０は、本システムを利用するためのユーザ登録を行うものとする。ただし、本情報提供システム１は、ユーザ登録を行わずにビジターとして利用可能としてもよく、ただし、ビジター利用の場合、閲覧可能な情報を制限してもよい。
【００４７】
携帯端末４００は、ネットワーク３に基地局５を介して接続し、ウェブサイト５００にアクセスし、ユーザ登録ページにてユーザ登録を行う（Ｓ４１）。このとき、データベース３００のユーザ登録情報３３０（図４（ｃ））が更新される。管理装置２００の更新受付部２１１が、ユーザ登録情報３３０の更新の通知を受け、ＤＢ管理部２１３が登録されたユーザ３０の管理を開始する（Ｓ２５）。このようにして、ユーザ登録されたユーザ３０は、認証部（不図示）によるユーザＩＤとパスワードの認証処理を経て（不図示）、情報提供システム１にログインして利用開始することができる。
【００４８】
また、ユーザ登録ページでは、ユーザ３０が注目している食品や農作物、または生産者、農地などを登録し、登録された情報が更新されるとユーザ３０に通知することもできる。ユーザ登録ページに食品などが登録されたとき、データベース３００のユーザＤＢ情報３８０（図４（ｈ））に登録され、管理装置２００の更新受付部２１１が更新の通知を受け付け、ユーザＤＢ情報３８０に基づいて、ユーザ３０毎に個別データベースを作成する。管理装置２００の更新受付部２１１が、ユーザ３０毎の個別データベースの更新の通知を受け付け、ＤＢ管理部２１３を介して通知部２１５に該当するユーザ３０に情報の更新を通知させることができる。
【００４９】
本実施形態の情報提供システム１において提供されるサービスとしては、たとえば、以下のものがある。
（１）本情報提供システム１が提供する品質安全性の高い食品情報の閲覧および食品の購入
（２）お得またはお薦め販売食品情報およびキャンペーン情報の取得および確認
【００５０】
まず、ユーザ３０は、ウェブサイト５００で販売している商品の情報を閲覧する（Ｓ４３）。たとえば、携帯端末４００からウェブサイト５００の商品検索ページにアクセスし、商品、たとえば、食品種別、食品品目名などを検索キーとして入力し、管理装置２００が検索キーに基づいて食品情報３４０を検索し、食品ＩＤを特定する。
【００５１】
管理装置２００が、食品情報３４０の食品ＩＤに関連する生産者ＩＤを管理農地情報３５０から取得し、生産者ＩＤに対応する生産者情報３１０を取得し、対象商品の生産者情報を提示する商品リスト画面を作成し、携帯端末４００の表示部に表示させることができる（Ｓ２７）。さらに、食品ＩＤに対応する生産者１３が生産している生産農作物ＩＤの耕作条件、育成状況日記などの情報を農地情報３２０から取得し、食品情報として商品リスト画面上に表示させることもできる。このようにして、ユーザ３０は、携帯端末４００にて所望の商品の生産者情報や食品情報をウェブサイト５００上で容易に検索し、閲覧することができる。
【００５２】
また、管理装置２００は、各種情報を携帯端末４００に配信する（Ｓ２９）。たとえば、新発売の商品の広告メール、最新の生産地情報、育成状況報告、セール品などの案内など、各種の情報を、電子メールや所定のウェブページ上に公開することで、ユーザ３０に通知することができる。ユーザ３０は、電子メールにて直接これらの情報を取得することもできるし、さらに電子メールに記載されたＵＲＬアドレス情報から所定のウェブページにアクセスして情報を閲覧してもよい（Ｓ４５）。
【００５３】
そして、ユーザ３０は、所望の商品を購入するために注文を行う。具体的には、携帯端末４００にて、ウェブサイト５００の商品購入手続きページを表示させ、商品の注文フォームにて必要な情報、たとえば、購入数量、配送先、決済方法、配送方法などを受け付け、注文手続きを行う（Ｓ４７）。このとき、データベース３００の注文情報３６０が更新される。このとき、自動的に請求金額も算出され、ユーザ３０は携帯端末４００の表示部４０９に購入手続き確認ページを表示させて確認することができる。管理装置２００の更新受付部２１１が、注文情報３６０の更新の通知を受け、ＤＢ管理部２１３が登録された注文の管理を開始する（Ｓ３１）。
【００５４】
管理装置２００の注文受付部２３１は、ＤＢ管理部２１３を介して更新された注文情報３６０に基づいて注文を受け付け、発注処理部２３３（図３）に通知する。
【００５５】
そして、発注処理部２３３は、該当する生産者１３に対して発注処理を行うための受注情報３７０を作成し、データベース３００に登録し、さらに受注情報３７０に従い、商品の発注処理を行う。具体的には、たとえば、商品を生産している生産者１３の生産者端末１００宛に、発注情報を送信し、発注の指示を行う（Ｓ３３）。このとき、注文受付部２３１は、データベース３００の発注状況を更新する。生産者端末１００への発注の指示は、たとえば、電子メールや、ファクシミリ、生産者１３毎のマイページなどへの通知などで行うことができる。
【００５６】
一方、契約農家１０では、管理装置２００から発注の指示を受け付け（Ｓ１７）、出荷作業に入る。そして、商品の出荷を行った後、ウェブサイト５００の出荷状況報告フォームにて必要な情報（出荷日、区分（通常、冷蔵、冷凍）、配送手段（配送専用車、宅配便、小包、空輸、船便など）、商品到着予定日などの配送スケジュール）の入力を行う（Ｓ１９）。このとき、データベース３００の受注情報３７０が更新される。管理装置２００の更新受付部２１１が、受注情報３７０の更新の通知を受け、配送状況の管理を開始する（Ｓ３５）。
【００５７】
ユーザ３０は、ウェブサイト５００で、商品到着までの間、注文確認ページなどで、配送スケジュールや配送状況の確認などを行うことができる。具体的には、携帯端末４００からウェブサイト５００の所定の注文確認ページにアクセスし、管理装置２００は、ログインしたユーザ３０の注文情報３６０を検索し、注文ＩＤから受注情報３７０を取得し、配送状況をユーザ３０の携帯端末４００の表示部４０９（図２）に表示させることができる（Ｓ３７、Ｓ４９）。あるいは、受注情報３７０が更新されたとき、携帯端末４００にメールにて通知することもできる。
【００５８】
このとき、配送方法や梱包手段なども閲覧でき、たとえば、冷凍で空輸されて何日何時に商品が届くか等の情報を確認するこができる。小包や宅配便などの場合、各社が提供する配送状況システムにリンクさせてもよい。商品の配送については、運搬途上であっても品質安全性を落とさない手法をとり、ユーザ３０が登録した配送先へ届けられる。配送先に関しては、ユーザ登録時の住所もしくは発注時に別途ユーザ３０が指定する場所とすることができる。このようにして、注文処理からユーザ３０の現品受領までの所要時間が掛からないように迅速に処理される。
【００５９】
さらに、仲介管理機関２０または生産者１３（契約農家１０）にて、注文商品の決算を行う。管理装置２００または生産者端末１００にて、自動的に決算処理を行ってもよい。代金の回収については、クレジット、各種振込み、口座引落し、電子マネー、携帯電話料金に課金して徴収するなど各種の方法で行うことができ、当業者にとってよく知られており、本発明の本質に関わらないので詳細な説明は省略する。
【００６０】
以上説明したように、本発明の実施の形態の情報提供システム１によれば、ユーザ３０は各生産者１３から提供された各商品の最新の生産元情報などを携帯端末４００から閲覧でき、注文することができるので、ユーザ３０は、商品を陳列または販売している食品スーパーなどの販売店舗に出向くことなく、最新の生産元情報などを確認した上で品質安全性の高い食品（野菜、果物、穀物などの農作物、酪農産物、加工品等）を、事前通知される配送スケジュール通りに、容易に調達できる。
【００６１】
なお、上記実施形態では、商品の発注を生産者１３の生産者端末１００へユーザ３０からの注文ごとに行う構成としたが、これに限定されない。たとえば、販売店や卸し業者から予め生産者１３へ商品の発注を行い、販売店や卸し業者に出荷された商品をユーザ３０からの注文に応じて販売してもよい。この場合、発注の通知は、販売店の端末（不図示）へ行うこととなる。
【００６２】
また、本実施形態の情報提供システム１は、仲介管理機関２０が各契約農家１０とリンクすることで、同機関は生産維持および食品流通、農耕地の効率的活用を維持および監視することができ、食品スーパーでいうところの地理的購入圏外にいる消費者およびユーザを獲得できるという効果も奏する。
【００６３】
（第二の実施の形態）
図６は、本発明の実施の形態に係る情報提供システム５０の要部構成を示すブロック図である。本実施形態の情報提供システム５０は、上記実施形態とは、家庭菜園における育成ノウハウ情報を提供するアドバイザ４０のアドバイザ端末６００と、ネットワーク３の各端末間で情報や意見交換を行うための電子掲示板を提供する掲示板サーバ５３０と、掲示板データベース（図中、「掲示板ＤＢ」と示す）５２０と、をさらに備え、アドバイザ４０、他のユーザ３０、および生産者１３との間で情報や意見交換を行える点で相違する。
【００６４】
本実施形態の情報提供システム５０は、家庭菜園における育成ノウハウ情報を提供するアドバイザ４０のアドバイザ端末６００をさらに備え、管理装置２００は、アドバイザ端末６００およびユーザ端末（携帯端末４００）の間でネットワーク３を介して、育成ノウハウ情報に関する家庭菜園情報を交換させるコミュニケーション部（掲示板サーバ５３０および掲示板データベース５２０）と、をさらに含む。
【００６５】
本実施形態の情報提供システム５０において提供されるサービスとしては、上記実施形態の情報提供システム１のサービスに加えて以下のものがある。
（３）他のユーザ３０やアドバイザ４０と意見交換ができる仕組みへのアクセス利用
（４）家庭菜園における育成ノウハウ、関連情報の取得および確認
【００６６】
本実施形態の情報提供システム５０は、図６に示すように、ネットワーク３を介して、生産者端末１００、管理装置２００、携帯端末４００、アドバイザ端末６００、ウェブサーバ５１０、ウェブサイト５００、および掲示板サーバ５３０、掲示板データベース５２０が互いに接続されている。
【００６７】
掲示板データベース５２０および掲示板サーバ５３０は、仲介管理機関２０によって管理され、これらの構成により、ユーザ３０は、たとえば、他のユーザ３０やアドバイザ４０に育成アドバイスなどを相談したり、意見や情報交換を行うことができる。掲示板サーバ５３０は、ネットワーク３に接続されたサーバコンピュータであり、図示されないＣＰＵ、ＲＯＭ、ＲＡＭ、Ｉ／Ｏ部、操作部、表示部、および通信部等を含む。掲示板サーバ５３０は、ネットワーク３上の生産者端末１００、管理装置２００、携帯端末４００、およびアドバイザ端末６００間で利用可能な掲示板システムを提供する。掲示板データベース５２０は、掲示板システムで交換された情報を蓄積する。
【００６８】
さらに、本実施形態において、家庭菜園情報をデータベース３００に登録する登録部（不図示）と、データベース３００に登録された家庭菜園情報をユーザ端末（携帯端末４００）に提供する提供部（不図示）と、をさらに含むことができる。
【００６９】
データベース３００は、アドバイザ４０から寄せられた育成アドバイス情報を蓄積することができる。育成アドバイス情報は、たとえば、食品ＩＤ、アドバイス項目、アドバイス内容、例えば、植え付け時期、日照条件、土壌条件、手入れ（時期、種類、条件、方法、注意点）、害虫、病気、対策、農薬、トラブル事例、対策などを含むことができる。
【００７０】
たとえば、ウェブサイト５００上で、家庭菜園における育成ノウハウについて、ユーザ３０からの質問を受け付ける相談ページを設け、携帯端末４００から相談ページにアクセスし、相談内容を登録する。データベース３００に相談内容が登録され、管理装置２００の更新受付部２１１が更新を受け付け、ＤＢ管理部２１３が相談内容の管理を開始する。
【００７１】
一方、アドバイザ４０は、仲介管理機関２０から依頼を受けた専門家などであり、情報提供システム５０に寄せられたユーザ３０からの相談内容について、随時アドバイスを提供する。たとえば、ウェブサイト５００上で、相談内容への回答を入力するページを設け、アドバイザ端末６００から回答入力ページにアクセスし、回答を登録する。回答は、上述の育成アドバイス情報としてデータベース３００に蓄積される。管理装置２００の更新受付部２１１がデータベース３００の更新を受け付け、ＤＢ管理部２１３が相談内容に対する回答を管理する。
【００７２】
このようにして、家庭菜園における育成ノウハウ情報がデータベース３００に蓄積され、ユーザ３０は、これらの情報から必要な情報をウェブサイト５００上で閲覧することができる。このとき、育成農作物の種類や問題項目などによって情報を分類して、提示してもよいし、キーワードによる検索をできるようにしてもよく、これにより、より容易に問題解決に必要な情報を取得できることとなる。
【００７３】
また、アドバイザ４０から回答が寄せられたとき、その旨をユーザ３０の生産者端末１００にメールまたは所定のウェブページにて通知してもよい。
【００７４】
以上説明したように、本実施形態の情報提供システム５０によれば、アドバイザ４０から提供された育成ノウハウ情報や、アドバイザ４０、ユーザ３０、および生産者１３間で質問、回答、意見などを含む家庭菜園情報を掲示板上で交換することができる。さらに、育成ノウハウ情報や家庭菜園情報をデータベース３００に蓄積し、閲覧することができる。これにより、家庭菜園における育成不振などの諸問題解決の的確な手助けを得ることが可能となる。また、ネット上で家庭菜園を実行する他者との繋がりができ、交友範囲が広がる。
【００７５】
（第三の実施の形態）
図７は、本発明の実施の形態に係る情報提供システム６０の要部構成を示すブロック図である。本実施形態の情報提供システム６０は、上記実施形態とは、ユーザ３０が食品生産農地の区画オーナーとなって遠隔菜園を区分所有し、同農地における食品としての農作物の育成状況を監視できる点で相違する。なお、図７は、図６の情報提供システム５０の変形態様として構成してあるが、図１の情報提供システム１の変形態様として構成することもできる。
【００７６】
本実施形態の情報提供システム６０において、生産者１３の保有する農地１１の各区画のオーナーとしてユーザ３０の登録を受け付ける受付部（ウェブサイト５００）と、生産者端末１００からネットワーク３を介して受信した商品の農作物の育成記録を農地１１の区画に関連付けてデータベース３００に登録する登録部（ウェブサイト５００）と、データベース３００に登録された区画の農作物の育成記録を、該区画のオーナーとして登録されたユーザ３０のユーザ端末（携帯端末４００）に提供する提供部（ウェブサイト５００）と、をさらに含む。
【００７７】
本実施形態の情報提供システム６０において提供されるサービスとしては、上記実施形態の情報提供システム１および情報提供システム５０のサービスに加えて以下のものがある。
（５）区画オーナー登録および育成農作物の選択、遠隔菜園の利用
（６）遠隔菜園の状況確認および収穫物の調達、契約農家のコメント情報の取得および確認
【００７８】
本実施形態において、ユーザ３０は、仲介管理機関２０を通じ、同管理機関が、契約農家１０から借入運用する農地１１の区画オーナーとなることができ、農作物の耕作を契約農家１０の生産者１３に委託する遠隔菜園サービスを利用することができる。これにより、ユーザ３０は、自宅以外に菜園領域を保持でき、都市部に居ながらにしてセカンドライフを堪能できる。ユーザ３０は、遠隔菜園サービス利用の登録を行い、仲介管理機関２０によって設定された使用区画面積に応じた使用料を支払うことで、本サービスを利用することができる。使用料（課金）については、市販の同様食料の価格と、区画から得られる収穫量等を考慮し、仲介管理機関２０により定められ、リーズナブルなものとする。
【００７９】
本実施形態の情報提供システム６０は、図７に示すように、区画の前記農作物の育成状況を撮影する撮像部（カメラ１５）と、撮像部（カメラ１５）をユーザ端末（携帯端末４００）から遠隔操作させる操作部（図２の操作部４１１）と、撮像部（カメラ１５）で撮影された農作物の育成状況をユーザ端末（携帯端末４００）に提供する提供部（ウェブサイト５００）と、を備える。
【００８０】
このカメラ１５は、各農地１１に設けられ、農地１１のオーナーであるユーザ３０の携帯端末４００からネットワーク３を介して制御可能とする。携帯端末４００には、カメラ１５を操作するためのアプリケーションが予めインストールされ、該アプリケーションを実行することで、あるいは、ウェブサイト５００の所定のウェブページ上で操作するカメラ１５を登録し、操作部４１１を用いて操作を行うことで、カメラ１５を操作制御することができる。たとえば、携帯端末４００は、カメラ１５の撮影方向、画角、ライトの点灯消灯などを制御できる。ユーザ３０は、オーナーとなっている農地１１の状況をカメラ１５を介して監視することができる。また、区画オーナーとしてユーザ登録を行えば、カメラ１５を操作するためのアプリケーションをウェブサイト５００からユーザ３０の携帯端末４００にダウンロードしてインストールできる構成とすることもできる。
【００８１】
また、カメラ１５によって撮影された画像データは、データベース３００にアップロードして記録することもでき、生産者端末１００、携帯端末４００、またはアドバイザ端末６００により、再生させることができる。
【００８２】
図８は、本実施形態の情報提供システム６０のデータベース３００の構造の一例を示す図である。本実施形態において、データベース３００は、図４（ｂ）の農地情報３２０および図４（ｃ）のユーザ登録情報３３０に替えて、図８（ａ）の農地情報３２２および図８（ｂ）のユーザ登録情報３３２を含む。
【００８３】
農地情報３２２は、図４（ｂ）の農地情報３２０の情報に加え、農地１１に設置されたカメラ１５のカメラＩＤを含む。また、ユーザ登録情報３３２は、図４（ｃ）のユーザ登録情報３３０の情報に加え、ユーザがオーナーとなった農地の区画ＩＤを含む。
【００８４】
このように構成された本実施形態の情報提供システム６０の動作について、以下に説明する。図９は、本実施形態の情報提供システム６０の動作の一例を示すフローチャートである。以下、図２、図３、図７〜図９を用いて説明する。
【００８５】
はじめに、各生産者１３（図７）は、仲介管理機関２０（図７）と契約を結び、情報提供システム６０（図７）のサービスの利用を開始するために、農地１１（図７）の登録を行う。上記実施形態で説明したように、ここでは、生産者１３の登録は既に済んでいるものとする。具体的には、生産者端末１００（図７）は、ネットワーク３（図７）に接続し、ウェブサイト５００（図７）にアクセスし、農地登録ページにて農地の登録を行う（Ｓ１０１）。このとき、データベース３００の農地情報３２２（図８（ａ））が更新される。管理装置２００の更新受付部２１１（図３）が、農地情報３２２の更新の通知を受け、ＤＢ管理部２１３（図３）が登録された農地情報３２２の管理を開始する（Ｓ１１１）。
【００８６】
そして、生産者１３は、登録した農地１１で農作物の耕作を行い、その育成状況の記録を入力する。具体的には、生産者端末１００は、ネットワーク３に接続し、ウェブサイト５００にアクセスし、育成記録入力ページにて育成記録や関連情報やコメントの入力を受け付ける（Ｓ１０３）。ここで、カメラ１５にて農地１１を撮影した画像データを記録することもできる。そして、生産者端末１００から育成記録が登録され（Ｓ１０５）、データベース３００の農地情報３２２が更新される。なお、画像データについて、データベース３００の図示されない画像データ記憶部に農地区画ＩＤ、撮影日時、カメラＩＤなどと関連付けて記憶される。管理装置２００の更新受付部２１１（図３）が、農地情報３２２の更新の通知を受け、ＤＢ管理部２１３（図３）が登録された農地情報３２２を管理する（Ｓ１１３）。生産者１３は、これらの情報入力を定期的に行い、農地情報３２２は定期的にアップデートされることとなる。
【００８７】
一方、ユーザ３０は、遠隔菜園サービスを申し込むために、オーナー登録を行う。具体的には、ユーザ３０が農地１１の使用区画を申し込むために、携帯端末４００は、ネットワーク３を介してウェブサイト５００の遠隔菜園サービス申込ページにアクセスし、登録申込フォームにて必要な情報を登録する（Ｓ１２１）。そして、データベース３００のユーザ登録情報３３２（図８（ｂ））が更新される。
【００８８】
ここで、ユーザ３０がオーナーとなる農地１１の区画を選択するために、管理装置２００では、農地情報３２２に登録されている農地区画で生産される農作物、あるいは所望の商品を生産させるための農地区画の情報を参照するための画面を作成し、携帯端末４００の表示部４０９（図２）に表示させることができる。たとえば、農地１１の所在地、農作物、耕作条件などを条件として、農地検索を行ってもよい。このようにして、ユーザ３０は、携帯端末４００にて所望の商品に対応する農地の情報などをウェブサイト５００上で閲覧することができ、これらの情報に基づき農地１１の区画を選択してオーナーとなることができる。
【００８９】
なお、ユーザ３０は、契約農家１０（農地１１）の所在地情報を確認することもでき、たとえば現地に赴いて菜園作業を実際に体験することなどもできる。これらの申込を、携帯端末４００から申込フォームにてデータベース３００に登録し、データベース３００の更新を受けて、管理装置２００にて申込処理を行い、該当する生産者端末１００へ通知などを行ってもよい。
【００９０】
そして、管理装置２００の更新受付部２１１が、農地情報３２２の更新の通知を受け、ＤＢ管理部２１３が登録されたオーナーと区画を管理する（Ｓ１１５）。
【００９１】
ユーザ３０の登録が終わると、データベース３００は、ユーザ３０の携帯端末４００に対して、本サービス利用の注意事項や収穫スケジュール情報などを記載したメールを自動的に配信してもよい。あるいは、ユーザ３０のマイページ上に掲載するようにしてもよい。
【００９２】
このようにして、データベース３００には、各生産者端末１００から各農地１１の育成記録が送信されて蓄積され、管理装置２００によって管理されるとともに、これらの情報は、管理装置２００、生産者端末１００、携帯端末４００、さらにはアドバイザ端末６００から参照することができ、必要な情報を検索して閲覧することができる。
【００９３】
ユーザ３０は、携帯端末４００からウェブサイト５００のマイページなどにアクセスし、育成記録を閲覧することができる（Ｓ１２３）。管理装置２００は、携帯端末４００がオーナーとなっている農地区画の育成記録を農地情報３２２から取得し、育成記録を提示する画面を作成し、携帯端末４００の表示部に表示させることができる（Ｓ１１７）。また、携帯端末４００やアドバイザ端末６００は、自分がオーナーとなっている農地区画以外の農地１１の育成記録を閲覧要求してもよい。さらに、ユーザ３０は、携帯端末４００の操作部４１１（図２）を操作することで、ネットワーク３を介してカメラ１５を制御することができる（Ｓ１２５）。
【００９４】
以上説明したように、本実施形態の情報提供システム６０によれば、オーナーとなった区画の農作物の育成記録をユーザ３０は携帯端末４００上で確認することができる。さらに、携帯端末４００から農作物の育成状況などをカメラ１５などで撮影してユーザ３０が映像にて確認することができる。このように、自宅以外に菜園を保持することが可能となり、アドバイザ４０等の強力なサポートも得られ、都市部に居ながらにしてセカンドライフを堪能できる。
【００９５】
さらに、本実施形態の情報提供システム６０において、農地１１の農作物が収穫可能になったとき、生産者１３は生産者端末１００から収穫可能となったことをウェブサイト５００上の所定のページからデータベース３００に登録し、該当するユーザ３０の携帯端末４００にメールなどにより通知することができる。
【００９６】
ユーザ３０は、この通知を受けて、携帯端末４００にて、ウェブサイト５００の収穫または配送受付ページを表示部４０９に表示させ、農作物の収穫または収穫物の配送指示の手続きを行うことができる。すなわち、携帯端末４００は、生産者１３の生産者端末１００にオーナー区画の農地１１における農作物の収穫を指示する収穫指示部（不図示）と、生産者１３の生産者端末１００に収穫された収穫物を所定の宛先に配送を指示する配送指示部（不図示）と、をさらに備えることができる。
【００９７】
たとえば、これらの情報も、データベース３００に収穫配送情報（不図示）として記憶され、管理装置２００に収穫配送情報の更新が通知され、管理装置２００では、生産者端末１００に対して収穫配送指示を行う。収穫物の配送処理については、上記実施形態の情報提供システム１の商品注文時の配送処理と同様であるので、詳細な説明は省略する。
【００９８】
以上、図面を参照して本発明の実施形態について述べたが、これらは本発明の例示であり、上記以外の様々な構成を採用することもできる。
【００９９】
たとえば、上記実施形態では、食品として農作物を例として記載していたが、たとえば、肉類、卵、牛乳、乳製品、加工品などの畜産物を含むこともできる。
【０１００】
また、他の実施形態において、商品の販売促進情報をデータベース３００に登録する登録部（不図示）と、ユーザ端末（携帯端末４００）に、商品の販売促進情報をネットワーク３を介して提供する提供部（不図示）を備えてもよい。
【０１０１】
販売促進情報は、たとえば、お得またはお薦め販売食品品目の情報およびキャンペーン情報や、広告などを含む。生産者１３の生産者端末１００または仲介管理機関２０の管理装置２００にて、販売促進情報の登録を受け付け、データベース３００に登録する。
【０１０２】
販売促進情報は、仲介管理機関２０が食品情報を提供するウェブサイト５００の所定のページや、他のホームページ上に表示またはリンクされたり、あるいは、登録ユーザ３０の携帯端末４００にメールで送信することができる。また、ユーザ３０が予め登録していた食品や契約農家１０先に関連する販売促進情報をデータベース３００から取得して、ユーザ３０宛に最新情報を自動的にメール配信したり、ユーザ３０のマイページなどに提示することもできる。
【０１０３】
また、他の実施形態において、図１、図６または図７の情報提供システムにおいて、管理装置２００は、ユーザ端末（携帯端末４００）から商品の所定の周期での定期購入の申込を受け付ける定期購入受付部（不図示）と、申込に従って、商品の発注の通知をネットワーク３を介して該当する生産者１３の生産者端末１００に所定の周期で定期的に行う定期購入発注通知部（不図示）と、を備えることができる。
【０１０４】
商品の定期購入は、ユーザが任意に選択した商品、あるいは、生産者が任意に選択した商品のセットなどを所定の周期、ならびに所定の期間で申し込むことができる。生産者は発注の通知を受けて、ユーザに商品を定期的に販売することができる。また、生産者は、定期購入の発注の通知を受けて、農作物の作付けなどの計画を立てることもできる。
【０１０５】
さらに、他の実施形態において、携帯端末４００から受け付けた食品の選択入力に基づいて、栄養カロリーを自動算出するカロリー算出部（不図示）を備えてもよい。さらに、受け付けた食品の選択入力に基づいて、献立メニュー等を表示するメニュー表示部（不図示）を備えてもよい。この構成によれば、ユーザ３０の健康管理を助力する構成とすることができる。
【０１０６】
また、他の実施形態において、仲介管理機関２０を食品衛生的に十分な検査可能な機関とし、各ユーザ３０の家庭菜園における収穫物を、同機関の厳重管理の下、他ユーザ間で売買できる構成としてもよい。
【図面の簡単な説明】
【０１０７】
【図１】本発明の実施形態に係る情報提供システムの構成を示すブロック図である。
【図２】図１の携帯端末の構成を示すブロック図である。
【図３】図１の管理装置の要部構成を示すブロック図である。
【図４】図１の情報提供システムのデータベースの構造の一例を示す図である。
【図５】本実施形態の情報提供システムの動作の一例を示すフロー図である。
【図６】本発明の実施の形態に係る情報提供システムの構成を示すブロック図である。
【図７】本発明の実施の形態に係る情報提供システムの構成を示すブロック図である。
【図８】図７の情報提供システムのデータベースの構造の一例を示す図である。
【図９】図７の情報提供システムの動作の一例を示すフロー図である。
【符号の説明】
【０１０８】
１  情報提供システム
３  ネットワーク
５  基地局
１０  契約農家
１１  農地
１３  生産者
１５  カメラ
２０  仲介管理機関
３０  ユーザ
４０  アドバイザ
５０  情報提供システム
６０  情報提供システム
１００  生産者端末
２００  管理装置
２１１  更新受付部
２１３  管理部
２１５  通知部
２３１  注文受付部
２３３  発注処理部
３００  データベース
３１０  生産者情報
３２０  農地情報
３２２  農地情報
３３０  ユーザ登録情報
３３２  ユーザ登録情報
３４０  食品情報
３５０  管理農地情報
３６０  注文情報
３７０  受注情報
３８０  ユーザＤＢ情報
４００  携帯端末
４０１  制御部
４０３  メモリ
４０５  アンテナ
４０７  無線部
４０９  表示部
４１１  操作部
４１３  カメラ
４１５  バス
５００  ウェブサイト
５１０  ウェブサーバ
５２０  掲示板データベース
５３０  掲示板サーバ
６００  アドバイザ端末
【図１】
2009181223.tif 000003
【図２】
2009181223.tif 000004
【図３】
2009181223.tif 000005
【図４】
2009181223.tif 000006
【図５】
2009181223.tif 000007
【図６】
2009181223.tif 000008
【図７】
2009181223.tif 000009
【図８】
2009181223.tif 000010
【図９】
2009181223.tif 000011